(57)【要約】  【課題】  被洗濯物を清潔に仕上げることができる洗濯方法を提供する。【解決手段】  洗剤を用いて被洗濯物を洗う洗い工程と（Ｓ１）、洗い工程で洗浄された被洗濯物を濯いで排水する第１の濯ぎ工程（Ｓ２）と、第１の濯ぎ工程で濯がれた被洗濯物を再度濯ぐ第２の濯ぎ工程（Ｓ３）とを備える洗濯方法であって、洗い工程、第１の濯ぎ工程および第２の濯ぎ工程における排水のうち、第１の濯ぎ工程および第２の濯ぎ工程における排水のみを浄化して浄化水を生成する排水浄化工程（Ｓ４）を更に備え、洗い工程および第１の濯ぎ工程は、浄化水を使用し、第２の濯ぎ工程は、上水を使用する洗濯方法である。【選択図】  図３
2007267912.tif 000002
【特許請求の範囲】
【請求項１】
洗剤を用いて被洗濯物を洗う洗い工程と、
前記洗い工程で洗浄された被洗濯物を濯いで排水する第１の濯ぎ工程と、
前記第１の濯ぎ工程で濯がれた被洗濯物を再度濯ぐ第２の濯ぎ工程とを備える洗濯方法であって、
前記洗い工程、前記第１の濯ぎ工程および前記第２の濯ぎ工程における排水のうち、前記第１の濯ぎ工程および前記第２の濯ぎ工程における排水のみを浄化して浄化水を生成する排水浄化工程を更に備え、
前記洗い工程および前記第１の濯ぎ工程は、前記浄化水を使用し、
前記第２の濯ぎ工程は、上水のみを使用する洗濯方法。
【請求項２】
前記排水浄化工程は、前記第１の濯ぎ工程および前記第２の濯ぎ工程における排水と共に、雨水を浄化して浄化水を生成する請求項１に記載の洗濯方法。
【発明の詳細な説明】
【技術分野】
【０００１】
本発明は、排水を利用して被洗濯物を洗濯する洗濯方法に関する。
【背景技術】
【０００２】
衣服などの被洗濯物を洗濯するには多量の水が必要となるので、水道コストを抑制し、水資源を有効利用するために、洗濯排水を利用して洗濯することが望まれる。
【０００３】
このような要望に応えるものとして、例えば特許文献１に開示されている排水再利用システムがある。
【０００４】
図４に示すように、この排水再利用システム１００は、洗濯機から排出された洗濯排水をオゾン処理する第１の処理装置１０３と、紫外線処理する第２の処理装置１０６と、微生物処理する第３の処理装置１０８とを備えており、洗濯排水を浄化処理することにより、洗濯機に供給するための浄化水を得るシステムである。
【特許文献１】特開平１０−１５５６７号公報
【発明の開示】
【発明が解決しようとする課題】
【０００５】
しかし、上記のようなシステムでは、洗濯排水には洗剤や汚染物などが多量に含まれているので、システムにかかる負荷が大きくなり、清潔な浄化水を得ることができないという問題があった。これにより、被洗濯物が清潔にならないおそれがあった。
【０００６】
本発明は、上記問題を解決するためになされたものであって、被洗濯物を清潔に仕上げることができる洗濯方法の提供を目的とする。
【課題を解決するための手段】
【０００７】
本発明の前記目的は、洗剤を用いて被洗濯物を洗う洗い工程と、前記洗い工程で洗浄された被洗濯物を濯いで排水する第１の濯ぎ工程と、前記第１の濯ぎ工程で濯がれた被洗濯物を再度濯ぐ第２の濯ぎ工程とを備える洗濯方法であって、前記洗い工程、前記第１の濯ぎ工程および前記第２の濯ぎ工程における排水のうち、前記第１の濯ぎ工程および前記第２の濯ぎ工程における排水のみを浄化して浄化水を生成する排水浄化工程を更に備え、前記洗い工程および前記第１の濯ぎ工程は、前記浄化水を使用し、前記第２の濯ぎ工程は、上水のみを使用する洗濯方法により達成される。
【０００８】
また、前記排水浄化工程は、前記第１の濯ぎ工程および前記第２の濯ぎ工程における排水と共に、雨水を浄化して浄化水を生成することが好ましい。
【発明の効果】
【０００９】
本発明に係る洗濯方法によれば、被洗濯物を清潔に仕上げることができる。
【発明を実施するための最良の形態】
【００１０】
以下、本発明の実施形態について、添付図面を参照して説明する。
【００１１】
まず、本発明の一実施形態に係る洗濯方法に用いる洗濯装置について説明する。図１は、この洗濯装置の一例を示す概略構成図である。図１に示すように、この洗濯装置１は、洗濯を行って洗濯排水を排出する洗濯機２と、洗濯機２からの排水を排出する排水ライン８と、排水ライン８から分岐して排水を回収する排水回収ライン３と、排水回収ライン３で回収された排水を浄化して浄化水を生成する排水浄化装置４と、排水浄化装置４で生成された浄化水を洗濯機２へ供給する浄化水供給ライン５とを備えている。また、洗濯装置１は、洗濯機２へ上水を供給する上水供給ライン６と、排水浄化装置４へ上水を供給する上水補給ライン９と、雨水を回収して排水浄化装置４へ送る雨水回収ライン７とを備えている。ここで、本明細書中において「上水」とは、水道水およびこれに準ずる飲用に供しうるきれいな水である。
【００１２】
洗濯機２は、被洗濯物が収容される洗濯槽、洗濯槽に水を注入する注入口、洗濯槽内の水を回転させるモーター、排水を排出する排水口など（いずれも図示せず）を備え、モーターの回転により水流を生じさせ、被洗濯物の洗いおよび濯ぎを行う公知のものを用いることができる。本実施形態では、予洗および本洗からなる洗い工程と、３回の濯ぎ工程を行うことができる洗濯機２を用いており、１回目の濯ぎ工程を第１の濯ぎ工程とし、２回目および３回目の濯ぎ工程を第２の濯ぎ工程としている。また、洗濯機２は、起動／停止などの各種操作を行う操作パネルを備えている（図示せず）。
【００１３】
排水ライン８は、洗濯機２の排水口に接続されており、排水を洗濯装置１の外部へ排出するように構成されている。排水回収ライン３は、排水回収ライン３の開閉を行う回収弁１３を備えており、排水浄化装置４に接続されている。
【００１４】
図２は、排水浄化装置４の概略構成を示す図である。排水浄化装置４は、図２に示すように、排水を前処理する前処理槽４０と、前処理槽４０に続いて上流側から下流側へ順に接続された、泡除去槽４１、第１滅菌槽４２、沈澱槽４３、第１貯留槽４４、ろ過槽４５、第２滅菌槽４６、第２貯留槽４７および上水貯留槽６４とを備えている。また、排水浄化装置４は、雨水を前処理する雨水前処理槽６１と、雨水前処理槽６１に接続された雨水貯留槽６３と、オゾンガスを発生させるオゾン発生装置４８とを備えている。また、ポンプやバルブは、必要に応じて適宜設けられている。
【００１５】
前処理槽４０は、排水回収ライン３に接続されており、排水からゴミを取り除くフィルター４９を備えている。
【００１６】
泡除去槽４１は、空気を送るブロワー５０と、ブロワー５０から送出された空気を泡除去槽４１内に供給する空気散気管５１とを備えている。また、泡除去槽４１は、排水の液面に浮遊する泡を除去する浮上泡除去具５２と、浮上泡除去具５２で除去した泡をブロワー５２から送出された空気により排出するエアリフト管５３とを備えている。
【００１７】
第１滅菌槽４２は、オゾン発生装置４８に接続された第１オゾン散気管５４を備えており、オゾンガスにより排水を滅菌処理する。第１滅菌槽４２と沈澱槽４３との間には、不純物を除去するフィルター５５が配置されている。沈澱槽４３は、規定水位を超えた排水を外部へ排出するオーバーフロー５６を上部に備えており、下部には不純物が沈澱する。
【００１８】
第１貯留層４４は、フロート式の水中ポンプ５７を備えており、水中ポンプ５７は、フロートにより第１貯留層４４内の水位を検知し、水位に応じて排水をろ過槽４５へ送るように構成されている。ろ過槽４５は、水中ポンプ５７に接続された散水管５８を上部に備えている。また、ろ過槽４５は、内部に積層された多孔質素材や無機高分子などを備えており、散水管５８から散水された排水を濾過するように構成されている。
【００１９】
第２滅菌槽４６は、オゾン発生装置４８に接続された第２オゾン散気管５９を備えており、オゾンガスにより排水を滅菌処理するように構成されている。
【００２０】
第２貯留層４７は、排水をろ過するろ過器６０を備えている。また、第２貯留層４７は、異物を除去するストレーナー６６介して浄化水供給ライン５に接続されおり、ストレーナー６６は、フロート６７により第２貯留層４７内に浮いた状態で保持されている。また、第２貯留層４７はボールタップ６５を備えており、内部の水位に応じて上水貯留槽６４から自動的に水が供給されるように構成されている。
【００２１】
上水貯留槽６４は、上水補給ライン９に接続され、ボールタップ６８を備えており、内部の水位に応じて上水補給ライン９から自動的に上水が供給されるように構成されており、上水補給ライン９が第２貯留層４７に直結するクロスコネクションを防止している。
【００２２】
雨水前処理槽６１は、雨水回収ライン７に接続されており、雨水からゴミを取り除くフィルター６２を備えている。雨水貯留槽６３は、規定水位を超えた雨水を外部へ排出する雨水オーバーフロー７０を上部に備えている。また、雨水貯留槽６３は、異物を除去する雨水ストレーナー７１介して第２滅菌槽４６に接続されおり、雨水ストレーナー７１は、雨水フロート７２により雨水貯留槽６３内に浮いた状態で保持されている。
【００２３】
浄化水供給ライン５は、排水浄化装置４の第２貯留層４７および洗濯機２の注入口に接続されており、図１に示すように、浄化水を浄化水供給ライン５に送出する送水ポンプ１５を備えている。
【００２４】
上水供給ライン６は、図示しない水道などに接続されており、上水を洗濯装置１の外部から洗濯機２へ供給するように構成されている。また、上水供給ライン６は、上水供給ライン６の開閉を行う給水弁１６を備えている。上水補給ライン９は、図示しない水道などと、排水浄化装置４の上水貯留槽６４に接続されており、上水を上水貯留槽６４へ補給するように構成されている。雨水回収ライン７は、雨水を収集する雨水タンク１７と、排水浄化装置４の雨水前処理槽６１に接続されている。
【００２５】
次に、以上のように構成された洗濯装置１を用いて被洗濯物を洗濯する方法を説明する。図３は、本発明の一実施形態に係る洗濯方法の手順および洗濯排水の流れを示す図である。
【００２６】
まず、図３に示すように、洗剤を用いて被洗濯物を洗う洗い工程（ステップＳ１）を行う。具体的には、洗濯機２の洗濯槽に被洗濯物、洗剤および、後述する排水浄化工程で生成される浄化水が収容された状態で、洗濯機２の操作パネルを操作することにより、洗濯機２を作動させる。洗濯機２が作動すると、モーターの回転により水流が生じ、被洗濯物が浄化水により洗浄される。洗い工程（ステップＳ１）では、予洗および、それに続く本洗を行うことにより、被洗濯物を洗浄する。また、洗い工程（ステップＳ１）では、被洗濯物が洗浄されると共に、浄化水に洗剤が混合された洗い排水が排出される。この洗い排水は、排水ライン８を介して洗濯装置１の外部へ放流される。
【００２７】
続いて、洗い工程（ステップＳ１）で洗浄された被洗濯物を濯ぐ濯ぎ工程を行う。
【００２８】
濯ぎ工程では、まず、洗い工程（ステップＳ１）で洗浄された被洗濯物を濯いで排水する第１の濯ぎ工程（ステップＳ２）を行う。具体的には、洗濯機２の洗濯槽に被洗濯物が収容された状態で、送水ポンプ１５を作動させることにより、後述する排水浄化工程で生成される浄化水を浄化水供給ライン５に送出し、洗濯機２の洗濯槽へその浄化水を供給する。続いて、洗濯機２の操作パネルを操作することにより、洗濯機２を作動させる。洗濯機２が作動すると、モーターの回転により水流が生じ、被洗濯物が浄化水により濯がれる。第１の濯ぎ工程（ステップＳ２）では、被洗濯物が濯がれると共に、濯ぎ排水が排水ライン８へ排出される。
【００２９】
次に、第１の濯ぎ工程（ステップＳ２）で濯がれた被洗濯物を再度濯ぐ第２の濯ぎ工程（ステップＳ３）を行う。具体的には、給水弁１６を開状態にすることにより、上水を、図示しない水道などから上水供給ライン６を介して洗濯機２へ供給する。続いて、洗濯機２の操作パネルを操作することにより、洗濯機２を作動させる。洗濯機２が作動すると、モーターの回転により水流が生じ、被洗濯物が上水により濯がれる。第２の濯ぎ工程（ステップＳ３）では、被洗濯物が濯がれると共に、濯ぎ排水が排水ライン８へ排出される。こうして、洗濯機２での洗濯が終了する。
【００３０】
続いて、洗い工程（ステップＳ１）および濯ぎ工程（ステップＳ２）、（ステップＳ３）における排水のうち、濯ぎ工程（ステップＳ２）、（ステップＳ３）における排水のみを回収し、雨水と共に浄化して浄化水を生成する排水浄化工程（ステップＳ４）を行う。具体的には、まず、回収弁１３を開状態にすることにより、洗濯機２から排水ライン８へ排出された濯ぎ排水を、排水ライン８から分岐させて、排水回収ライン３へ流入させる。これにより、濯ぎ排水が回収され、排水浄化装置４の前処理槽４０へ送られる。また、雨水タンク１７で収集された雨水は、雨水回収ライン７を介して、排水浄化装置４の雨水前処理槽６１へ送られる。排水浄化装置４では、図２に示すように、前処理槽４０に供給された濯ぎ排水が、フィルター４９によりゴミを除去された後、泡除去槽４１へ送られる。泡除去槽４１では、濯ぎ排水に空気散気管５１から空気が供給されることにより、泡が液面に浮上する。液面の泡は、浮上泡除去具５２により除去され、エアリフト管５３により外部へ排出される。
【００３１】
泡が除去された濯ぎ排水は、第１滅菌槽４２へ送られ、第１オゾン散気管５４から供給されるオゾンガスにより滅菌処理された後、沈澱槽４３へ送られ、不純物が沈澱により除去される。その後、濯ぎ排水は、沈澱槽４３から第１貯留層４４へ送られ、第１貯留層４４の水位が規定以上になると、水中ポンプ５７が作動することにより散水管５８へ送られ、散水管５８からろ過槽４５内に散水される。散水された濯ぎ排水は、ろ過槽４５でろ過されると、第２滅菌槽４６へ送られ、第２オゾン散気管５９から供給されるオゾンガスにより滅菌処理された後、第２貯留層４７へ送られる。その後、濯ぎ排水はろ過器６０によりろ過される。このようにして、濯ぎ排水が浄化され、浄化水が生成される。
【００３２】
また、雨水前処理槽６１に供給された雨水は、フィルター６２によりゴミが除去された後、雨水貯留槽６３へ送られ、雨水ストレーナー７１で異物が除去された後、第２滅菌槽４６へ送られる。こうして雨水は、第２滅菌槽４６内の濯ぎ排水と合流し、濯ぎ排水と共に浄化される。
【００３３】
また、上水補給ライン９を介して上水貯留槽６４へ補給された上水は、上水貯留槽６４に貯留され、第２貯留層４７の水位に応じて第２貯留層４７に補給される。
【００３４】
本実施形態に係る洗濯方法によれば、洗い工程（Ｓ１）および濯ぎ工程（Ｓ２）、（Ｓ３）における排水のうち、洗剤や汚染物などが多量に含まれる洗い排水を外部へ排出し、濯ぎ排水のみを回収して浄化水を生成するので、清潔な浄化水を得ることができ、その浄化水を使用して洗い工程（Ｓ１）および第１の濯ぎ工程（Ｓ２）を行うので、被洗濯物を清潔に仕上げることができる。また、第２の濯ぎ工程（Ｓ３）が上水のみを使用するので、洗濯の最終工程をより清潔な水で行うことができ、被洗濯物をより清潔に仕上げることができる。
【００３５】
また、排水浄化工程（Ｓ４）が濯ぎ排水と共に雨水を浄化して浄化水を生成するので、生成される浄化水の量を増加させることができ、十分な水量で洗濯を行うことができる。
【００３６】
以上、本発明の一実施形態について説明したが、本発明の具体的な態様は、上記実施形態に限定されるものではない。
【００３７】
例えば、本実施形態では、回収弁１３の開閉や送水ポンプ１５の起動を手動で行っていたが、制御装置を別途設けて、自動で行ってもよい。
【００３８】
また、本実施形態では、外部へ排出する排水は洗い排水のみであったが、その他に、柔軟剤が含まれる排水などを排出してもよい。
【００３９】
また、排水浄化装置４は、排水を浄化することにより浄化水を得ることができれば、その構成は特に限定されない。
【図面の簡単な説明】
【００４０】
【図１】本発明の一実施形態に係る洗濯方法に用いる洗濯装置を示す概略構成図である。
【図２】図１に示す排水浄化装置の概略構成を示す図である。
【図３】本発明の一実施形態に係る洗濯方法の手順および洗濯排水の流れを示す図である。
【図４】従来の排水再利用システムの概略構成を示す図である。
【符号の説明】
【００４１】
１  洗濯装置
２  洗濯機
３  排水回収ライン
４  排水浄化装置
５  浄化水供給ライン
６  上水供給ライン
７  雨水回収ライン
８  排水ライン
１３  回収弁
１５  送水ポンプ
１６  給水弁
１７  雨水タンク
【図１】
2007267912.tif 000003
【図２】
2007267912.tif 000004
【図３】
2007267912.tif 000005
【図４】
2007267912.tif 000006